(57)【要約】【課題】高温多湿な条件下においても、手触り感を悪化させることなく、質感に優れたカメラを提供する。【解決手段】カメラ１００は、外観部の保持部Ｂであるグリップ部１４２に対して、ＥＶＯＨ（エチレンビニルアルコール共重合体）材を用いている。また、ＥＶＯＨ材を用いたグリップ部１４２に対して、ＣＦ、ＧＦなどの強化繊維を添加する強化加工を施すことができる。また、ＥＶＯＨ材を用いたグリップ部１４２の表面に、粗面化加工であるシボ加工などを施すことができる。さらに、ＥＶＯＨ材を用いたグリップ部１４２の表面に、被覆加工であるフッ素添加又はドライルーブ添加などを施すことができる。【選択図】        図１
2004287340.tif 000002
【特許請求の範囲】
【請求項１】
撮影動作に関する操作を行う操作部と、
カメラを保持するための保持部と、
を備えたカメラにあって、
前記操作部及び／又は前記保持部は、共重合体からなり、乾燥感のある材料を外部に備えていること
を特徴とするカメラ。
【請求項２】
請求項１に記載されたカメラにおいて、
前記乾燥感のある材料は、ＥＶＯＨ（エチレンビニルアルコール共重合体）材であること
を特徴とするカメラ。
【請求項３】
請求項１又は請求項２に記載されたカメラにおいて、
前記操作部及び／又は前記保持部は、前記乾燥感のある材料に、強化繊維を添加する強化加工が施されていること
を特徴とするカメラ。
【請求項４】
請求項１から請求項３までのいずれか１項に記載されたカメラにおいて、
前記操作部及び／又は前記保持部は、表面を粗く加工する粗面化加工が施されていること
を特徴とするカメラ。
【請求項５】
請求項１から請求項４までのいずれか１項に記載されたカメラにおいて、
前記操作部及び／又は前記保持部は、粘膜性を防止する材料又は撥油性のある材料で表面を被覆する被覆加工が施されていること
を特徴とするカメラ。
【発明の詳細な説明】
【０００１】
【発明の属する技術分野】
本発明は、外観部の質感を改良したカメラに関するものである。
【０００２】
【従来の技術】
従来から、カメラは、手で扱いやすいような大きさや形状の操作部や保持部を備え、撮影時の操作性又はホールディング性を、良好に保つことが提案されている（例えば、特許文献１）。
【０００３】
【特許文献１】
特開平１０−１４８８８３号公報
【０００４】
【発明が解決しようとする課題】
カメラは、撮影するときに、それ自体を保持するのは殆どが撮影者の手である。すなわち、撮影者は、自分の手でカメラなどを保持し、被写体に対して、カメラなどの位置を合わせ込んで撮影する。
近年、カメラに関わらず、感性という言葉が頻繁に使われている。例えば、カメラを駆動させたときの駆動音又はシャッタ音などは、静かにすればよいというだけではなく、質感、感性又は肌触り感なども求められている。
【０００５】
上述したカメラの保持についても例外でなく、特に手で保持したときなどは、その持ち具合によって、同じ性能のカメラや、同じデザインのカメラでも、印象が大きく変化する。
例えば、梅雨のような湿度が高い場合での使用時、又は、高温多湿地域での使用時などは、手で接触する部分などが非常にじめじめし、手触り感が悪くなり、カメラなどに対する印象が悪くなることさえある。
すなわち、その感触が、カメラの重要な仕様となっている。この感触の違いにより、高級に感じることもあるが、非常に貧相に感じることもあり、極端な場合には、使いたくなくなることもある。
【０００６】
本発明の課題は、高温多湿な条件下においても、手触り感を悪化させることなく、質感に優れたカメラを提供することである。
【０００７】
【課題を解決するための手段】
本発明は、以下のような解決手段により、前記課題を解決する。なお、理解を容易にするために、本発明の実施形態に対応する符号を付して説明するが、これに限定されるものではない。
すなわち、請求項１の発明は、撮影動作に関する操作を行う操作部（Ａ）と、カメラを保持するための保持部（Ｂ）とを備えたカメラにあって、前記操作部（Ａ）及び／又は前記保持部（Ｂ）は、共重合体からなり、乾燥感のある材料を外部に備えていることを特徴とするカメラである。
【０００８】
請求項２の発明は、請求項１に記載されたカメラにおいて、前記乾燥感のある材料は、ＥＶＯＨ（エチレンビニルアルコール共重合体）材であることを特徴とするカメラである。
【０００９】
請求項３の発明は、請求項１又は請求項２に記載されたカメラにおいて、前記操作部（Ａ）及び／又は前記保持部（Ｂ）は、前記乾燥感のある材料に、強化繊維を添加する強化加工が施されていることを特徴とするカメラである。
【００１０】
請求項４の発明は、請求項１から請求項３までのいずれか１項に記載されたカメラにおいて、前記操作部（Ａ）及び／又は前記保持部（Ｂ）は、表面を粗く加工する粗面化加工が施されていることを特徴とするカメラである。
【００１１】
請求項５の発明は、請求項１から請求項４までのいずれか１項に記載されたカメラにおいて、前記操作部（Ａ）及び／又は前記保持部（Ｂ）は、粘膜性を防止する材料又は撥油性のある材料で表面を被覆する被覆加工が施されていることを特徴とするカメラである。
【００１２】
【発明の実施の形態】
以下、図面等を参照して、本発明の実施の形態について、さらに詳しく説明する。
図１は、本発明によるカメラの実施形態を示す概略構成図である。
この実施形態のカメラ１００は、左側吊り具１１１などを備えたボディ左側面部１１０と、レンズ取外しボタン１２１などを備えたボディ正面部１２０と、ボディ底面部１３０と、右側吊り具１４１、グリップ部１４２及びシャッターボタン１４３などを備えたボディ右側面部１４０と、ボディ背面部１５０と、液晶表示パネル１６１、フラッシュカバー１６２、アクセサリーシュー１６３及びコマンドダイヤル１６４などを備えたボディ上面部１６０などとを有している。
【００１３】
本発明では、カメラの外観部は、操作部Ａと保持部Ｂとにわけて考えることができる。操作部Ａは、例えば、レンズ取外しボタン１２１と、シャッターボタン１４３と、フラッシュカバー１６２と、コマンドダイヤル１６４とを例にあげることができる。また、保持部Ｂは、ボディ正面部１２０と、ボディ底面部１３０と、ボディ右側面部１４０と、グリップ部１４２と、ボディ背面部１５０とを例にあげることができる。なお、図１において、操作部Ａに相当する部材には、１２１（Ａ）などと、符号の後にカッコつきでＡと付し、保持部Ｂに相当する部材には、１２０（Ｂ）などと、符号の後にカッコつきでＢと付してある。
【００１４】
ここでは、特に、保持部Ｂをグリップ部１４２とした例で説明する。
本実施形態のグリップ部１４２は、ＥＶＯＨ（エチレンビニルアルコール共重合体）材を用いることができる。
この材料を用いる理由は、手触りがよく、また、じめじめ感もなく、乾燥感に優れているからである。
【００１５】
また、グリップ部１４２は、ＥＶＯＨ材に対して、ＣＦ（カーボンファイバ繊維）、ＧＦ（ガラスファイバ繊維）などの強化繊維を添加する強化加工を行うことができる。
強化加工を施すことにより、カメラ部品としての剛性の向上がはかれ、落下などによる破損の可能性が低減する。
【００１６】
さらに、グリップ部１４２は、ＥＶＯＨ材の表面に対して、シボ加工などの粗面化加工を施すことができる。
粗面化加工を施すことにより、カメラの密着感又はしっくり感の向上がはかれ、落下などを起こす可能性が低減する。
【００１７】
さらにまた、グリップ部１４２は、ＥＶＯＨ材の表面に、粘膜性を防止する材料、例えば、フッ素添加やフッ素練り込み、又は、撥油性のある材料、例えば、ドライルーブ添加などの薄膜を被覆する被覆加工を施すことができる。
被覆加工を施すことにより、カメラの密着感又はしっくり感の向上がはかれ、落下などを起こす可能性が低減する。
なお、前記粘膜性は、ねばねばして滑らかなことである。
【００１８】
本実施形態によれば、カメラの外観部、特に、手で保持する部分又は操作する部分の乾燥感が非常によくなり、具体的には、べとつき感がなくなり、撮影者自身のカメラに対する印象がよくなり、写真を撮ること自体の付加価値を上げることが可能となる。
【００１９】
（変形形態）
以上説明した実施形態に限定されることなく、種々の変形や変更が可能であって、それらも本発明の均等の範囲内である。
（１）例えば、上記実施形態では、グリップ部１４２に対して、ＥＶＯＨ材を用いる場合を例にして説明したが、必要に応じて、上述した他の外観部に用いてもよい。
（２）一眼レフカメラの例で説明したが、コンパクトカメラ、デジタルカメラ、ビデオカメラなどにも同様に適用することができる。
【００２０】
【実施例】
次に、具体的な実施例をあげて、さらに詳しく説明する。
（実施例１）
実施例１では、グリップ部１４２に対して、ＥＶＯＨ材を使用した。
評価内容は、試験条件３０℃，９０％（恒温室）で、非常にじめじめし、手触りの悪くなる環境下で実施した。
評価方法は、被験者１０人に対し、通常カメラなどによく使われる材料であるＰＣ（ポリカーボネート）材及びゴム材のグリップ部（比較例）と、ＥＶＯＨ材を、外観上判断できないように部品を作り込んだグリップ部１４２とを、それぞれ手で持って比較評価した。
その結果、９割の人がグリップ部にＥＶＯＨ材を使用したカメラのほうが、手触りがよく、また、じめじめ感もなく、非常によいと判断した。従って、ＥＶＯＨ材の優位性が明確となった。
【００２１】
（実施例２）
実施例２では、グリップ部１４２に対して、ＧＦ、ＣＦなどの強化繊維を添加したＥＶＯＨ材を使用した。評価内容は、実施例１と同様である。
この結果、実施例１とほぼ同等レベルである８割の人が、グリップ部にＧＦ、ＣＦなどの強化繊維を添加したＥＶＯＨ材を使用したカメラのほうが、手触りがよく、また、じめじめ感も無く、非常によいと判断した。従って、ＧＦ、ＣＦなど強化繊維入りＥＶＯＨ材の優位性が明確となった。
特に、この場合は、ＥＶＯＨ材にＧＦ、ＣＦなどの強化繊維を添加しているため、カメラ部品としての剛性の向上がはかれ、落下などによる破損の可能性が低減し、カメラとしての信頼性が向上した。
【００２２】
（実施例３）
実施例３では、グリップ部１４２の表面に対し、粗面化加工であるシボ加工などを施したＥＶＯＨ材を使用した。評価内容は、実施例１と同様である。
この結果、実施例１と同等レベルである８割の人が、グリップ部に表面加工であるシボ加工などを施したＥＶＯＨ材を使用したカメラのほうが、手触りがよく、かつ、しっくり感があり、非常によいと判断した。従って、粗面化加工であるシボ加工などを施したＥＶＯＨ材の優位性が明確となった。
特に、この場合は、ＥＶＯＨ材に粗面化加工であるシボ加工を施したため、カメラの密着感又はしっくり感の向上がはかれ、落下などを起こす可能性が低減し、カメラとしての信頼性が向上した。
【００２３】
（実施例４）
実施例４では、グリップ部１４２の表面に対し、被覆加工であるフッ素添加又はドライルーブ添加などを施したＥＶＯＨ材を使用した。評価内容は、実施例１と同様である。
この結果、実施例１と同等レベルである８割の人が、グリップ部に被覆加工であるフッ素添加又はドライルーブ添加などを施したＥＶＯＨ材を使用したカメラのほうが、手触りがよく、かつ、しっくり感があり、非常によいと判断した。従って、被覆加工であるフッ素添加又はドライルーブ添加などを施したＥＶＯＨ材の優位性が明確となった。
特に、この場合は、ＥＶＯＨ材に被覆加工であるフッ素添加又はドライルーブ添加などを施したため、カメラの密着感又はしっくり感の向上がはかれ、落下などを起こす可能性が低減し、カメラとしての信頼性が向上した。
【００２４】
【発明の効果】
以上詳しく説明したように、本発明によれば、上記材質を採用することにより、手で操作する操作部や手で保持する保持部の乾燥感が、非常によいものとなり、撮影者自身のカメラに対する印象がよくなり、写真を撮ること自体の付加価値が向上し、かつ、カメラの信頼性も向上する。
【図面の簡単な説明】
【図１】本発明によるカメラの実施形態を示す外観斜視図である。
【符号の説明】
１００  カメラ
１１０  ボディ左側面部
１１１  左側吊り具
１２０  ボディ正面部
１２１  レンズ取外しボタン
１３０  ボディ底面部
１４０  ボディ右側面部
１４１  右側吊り具
１４２  グリップ部
１５０  ボディ背面部
１６０  ボディ上面部
１６１  液晶表示パネル
１６２  フラッシュカバー
１６３  アクセサリーシュー
１６４  コマンドダイアル
【図１】
2004287340.tif 000003